(57)【要約】【課題】  レジスト調整が１回で済む画像読取装置を提供する。【解決手段】  原稿の画像面に照射された光を画像面に平行な方向を向くように反射する第１ミラー１１を備えた第１走行体４と、第１走行体４の第１ミラー１１が反射した光をさらにＣＣＤ１５へ反射するための第２ミラー，第３ミラーを備えた第２走行体５とを備えたミラースキャン方式の画像読取装置において、第２走行体５のダハ角のズレ量を入力し、自動原稿送り装置使用時のスキャンライン位置を設定するようにした。【選択図】  図１
2005202250.tif 000002
【特許請求の範囲】
【請求項１】
原稿の画像面からの反射光を該画像面と平行な方向に反射する第１ミラーを備えた第１走行体と、前記第１走行体のミラーからの反射光をさらに画像読取手段へ反射するための第２ミラー及び第３ミラーを備えた第２走行体と、を備えたミラースキャン方式の画像読取装置において、
前記第２走行体を構成する各ミラー間のダハ角のズレ量を入力し、自動原稿送り装置使用時のスキャンライン位置を設定するようにしたことを特徴とする画像読取装置。
【請求項２】
原稿の画像面からの反射光を該画像面と平行な方向に反射する第１ミラーを備えた第１走行体と、前記第１走行体のミラーからの反射光をさらに画像読取手段へ反射するための第２ミラー及び第３ミラーを備えた第２走行体と、を備えたミラースキャン方式の画像読取装置において、
原稿の先端位置、及び後端位置を夫々検知し、検知した原稿の先端位置及び後端位置についての情報に基づいて前記第２走行体におけるダハ角のズレ量を算出し、算出したダハ角のズレ量に基づいて自動原稿送り装置使用時のスキャンライン位置を設定するようにしたことを特徴とする画像読取装置。
【請求項３】
原稿の画像面からの反射光を該画像面と平行な方向に反射する第１ミラーを備えた第１走行体と、前記第１走行体のミラーからの反射光をさらに画像読取手段へ反射するための第２ミラー及び第３ミラーを備えた第２走行体と、を備えたミラースキャン方式の画像読取装置において、
原稿の先端位置、及び後端位置を夫々検知し、検知した原稿の先端位置及び後端位置についての情報に基づいて前記第２走行体におけるダハ角のズレ量を算出し、算出したダハ角のズレ量に基づいて自動原稿送り装置使用時のスキャンライン位置を設定し、且つ白基準調整位置を設定するようにしたことを特徴とする画像読取装置。
【発明の詳細な説明】
【技術分野】
【０００１】
本発明は、ミラースキャン方式の画像読取装置に関し、特に自動原稿送り装置へ通紙しなくても自動原稿送り装置の理想的なスキャンラインを求めることができる画像読取装置に関する。
【背景技術】
【０００２】
原稿の画像情報を光学的に読み取るミラースキャン方式の画像読取装置では、ブック原稿等をコンタクトガラス上に手作業によってセットして読取を行うブックコピー時における原稿の読み取り開始位置のずれの調整（レジスト調整）が必要になる。給紙台上にセットした原稿を一枚ずつコンタクトガラス上に自動給紙して読取を行うＤＦ（ドキュメントフィーダーと呼ばれる自動原稿送り装置）も備えている場合は、ＤＦへの通紙時においてもレジスト調整を行う。また、オプションのＤＦを取り付けて使用する場合は設置時にレジスト調整が必要である。レジスト調整を行う機能を備えた画像読取装置としては例えば、特許文献１の技術が提案されている。
【特許文献１】特開２０００−１５１９１０公報
【発明の開示】
【発明が解決しようとする課題】
【０００３】
上述したように、従来の画像読取装置では、ブックコピー時とＤＦ使用時とで夫々レジスト調整が必要であるため、合計２回の調整作業が必要となる。そのため、調整作業が面倒であった。ここでは、一般的な場合と同様に、画像に照射された光を画像面に平行な方向を向くように反射するミラーを備えた走行体を第１走行体と呼び、そこから反射された光をさらに所定位置へ反射するためのミラーを備えている走行体を第２走行体と呼ぶが、ミラースキャン方式の画像読取装置においてＤＦスキャンライン位置がブックコピー時のレジスト位置に対してばらつく要因は、所謂第１走行体からの光を所定位置へ反射するための第２走行体における２つのミラー間のダハ角（なす角が互いに９０°となるように設計された反射用ミラー対における角度）のずれのみである。
そこで、本発明は、上述した実情を考慮してなされたもので、レジスト調整が１回で済む画像読取装置を提供することを目的とする。
【課題を解決するための手段】
【０００４】
上記の課題を解決するために、請求項１に記載の発明は、原稿の画像面に照射された光を画像面に平行な方向を向くように反射するミラーを備えた第１走行体と、前記第１走行体のミラーが反射した光をさらに画像読取手段へ反射するためのミラーを備えた第２走行体とを備えたミラースキャン方式の画像読取装置において、前記第２走行体のダハ角のズレ量を入力し、自動原稿送り装置使用時のスキャンライン位置を設定するようにした画像読取装置を最も主要な特徴とする。
また、請求項２に記載の発明では、原稿の画像面に照射された光を画像面に平行な方向を向くように反射するミラーを備えた第１走行体と、前記第１走行体のミラーが反射した光をさらに画像読取手段へ反射するためのミラーを備えた第２走行体とを備えたミラースキャン方式の画像読取装置において、原稿の先端位置を検知し、原稿の後端位置を検知し、検知した前記原稿の先端位置及び前記原稿の後端位置の情報に基づいて前記第２走行体におけるダハ角のズレ量を算出し、算出したダハ角のズレ量に基づいて自動原稿送り装置使用時のスキャンライン位置を設定するようにした画像読取装置を主要な特徴とする。
また、請求項３に記載の発明では、原稿の画像面に照射された光を画像面に平行な方向を向くように反射するミラーを備えた第１走行体と、前記第１走行体のミラーが反射した光をさらに画像読取手段へ反射するためのミラーを備えた第２走行体とを備えたミラースキャン方式の画像読取装置において、原稿の先端位置を検知し、原稿の後端位置を検知し、検知した前記原稿の先端位置及び前記原稿の後端位置の情報に基づいて前記第２走行体におけるダハ角のズレ量を算出し、算出したダハ角のズレ量に基づいて自動原稿送り装置使用時のスキャンライン位置を設定し、且つ白基準調整位置を設定するようにした画像読取装置を主要な特徴とする。
【発明の効果】
【０００５】
本発明によれば、ダハ角のずれ量入力とブックコピー時のレジスト調整をするのみで自動原稿送り装置使用時のレジスト(副走査)の設定ができるので、調整作業が面倒であったレジスト調整が１回で済むようになる。
【発明を実施するための最良の形態】
【０００６】
以下、図面を参照して、本発明の実施形態を詳細に説明する。
【実施例１】
【０００７】
図１はミラースキャン型の画像読取装置の概要を示した図であり、（ａ）は光学系等の配置を示す正面図、（ｂ）は駆動機構を示す平面図である。コンタクトガラス１上において、左スケール基準（ブックコピー時のレジスト狙い位置）２に沿って原稿がセットされる。コピースタートボタンをオンすると、モータ３が回転し、第１走行体４と第２走行体５がギヤ６やタイミングベルト７、平ベルト８を経て駆動する。
第１走行体４が一度ホームポジションセンサ９の位置に行き、そこから各設定のパルス量（ＤＦ（ドキュメントフィーダーと呼ばれる自動原稿送り装置）使用時／ブックコピー時各レジスト設定値、白基準位置設定値）モータ３が回転し、コピー及び、シェーディングが開始される。ランプ１０にて原稿及び白基準板を照射し、第１ミラー１１、第２ミラー１２、第３ミラー１３、レンズ１４を介して画像読取手段としてのＣＣＤ１５に光が入って画像を読み取る。
従来の技術においては、第1走行体光軸、第２走行体光軸、ダハ角、ＣＣＤ光軸などのばらつきでＤＦ使用時及びブックコピー時のレジスト位置は、ユニットごとに調整を行っている。しかし、ＤＦ使用時とブックコピー時のレジスト(副走査)値の違いとしては、ダハ角の影響のみである。図１で示すように第２走行体５におけるダハ角のズレがあると、移動位置によって光軸が変化してしまう。ダハ角のズレは図２で示す部分の値である。
ブックコピー時のレジスト調整でのダハ角影響のみの光軸位置のズレ量は、チェッカーダハ角値をΔθ（ｄｅｇ）、Δθ（ｒａｄ）＝Δθ（ｄｅｇ）／１８０×π、第２走査距離：Ｌ２＝原稿走査距離：Ａ／２とすると、式１で表せる（図３参照）。
式１・・・ズレ量：Δｈ（ｍｍ）＝第２走査距離：Ｌ２×ＴＡＮ（２×Δθ：ｒａｄ）
また、ダハ角のズレによる補正量は式２で表せる。
式２・・・補正量＝Δｈ（ｍｍ）／Ａ（ｍｍ）＝Ａ／２×ＴＡＮ（２×Δθ（ｒａｄ））／Ａ＝ＴＡＮ（２×Δθ（ｒａｄ））／２
そして、Ｂ＝ＤＦスキャンライン狙い値（レイアウト上）、Ｃ＝白基準調整狙い位置（レイアウト上）、Ｄ＝レイアウト上のブックコピー時のレジスト位置からＤＦスキャンラインまでの距離、Ｅ＝レイアウト上のブックコピー時のレジスト位置から白基準調整位置までの距離、Ａ´＝ブックコピー時のレジスト（調整値）、Ｄ´＝ブックコピー時のレジスト調整位置からＤＦスキャンラインまでの送り量、Ｅ´＝ブックコピー時のレジスト調整位置から白基準狙い位置までの送り量、Ｂ＝Ａ−Ｄ、Ｃ＝Ａ−Ｅ、Ｄ´＝Ｄ×（１＋補正量）、Ｅ´＝Ｅ×（１＋補正量）とすると、ブックコピー時の調整位置からＤＦスキャンラインまでの送り量は式３で表せる（図４参照）。
式３・・・ＤＦ設定値＝Ａ´−Ｄ´＝Ａ´−Ｄ×（１＋補正量）
さらに、式３は式５で表すことができる。（ホームポジションセンサからの送り量を求めなくてはならないのでＤＦスキャンライン設定値は式５となる。）
式５・・・Ａ´−Ｄ×（１＋（ＴＡＮ（２×Δθ（ｒａｄ）））／２）
したがって、式５のＤＦを設定することにより、ダハ角のずれ量入力とブックコピー時のレジスト調整をするのみでＤＦ使用時のレジスト(副走査)の設定をすることが可能となる。これにより、調整作業が面倒であったレジスト調整が１回で済むようになる。
なお、白基準設定位置は式４のようになる。
式４・・・白基準設定位置＝Ａ´−Ｅ´＝Ａ´−Ｅ×（１＋補正量）＝Ａ´−Ｅ×（１＋（ＴＡＮ（２×Δθ（ｒａｄ）））／２）
【実施例２】
【０００８】
実施例２は、原稿の先端位置を検知し、原稿の後端位置を検知し、検知した原稿の先端位置及び原稿の後端位置の情報に基づいて第２走行体５におけるダハ角のズレ量を算出し、算出したダハ角のズレ量に基づいて自動原稿送り装置使用時のスキャンライン位置を設定するようにした場合である。
実施例１ではダハ角を計測し、ダハ角ズレ量を入力しなければならなかったが、この例では、図５のように副走査倍率を求めることのできるチャートを使用し、ブックコピー時におけるレジスト(副走査)調整を実施することにより、ブックコピー時におけるレジスト調整のみでＤＦ使用時の調整が可能となる。
図５のチャートにてレジスト調整を実施した場合の補正量算出式を考えると、スキャナ読取でのＹＢ間計測値＝ＹＢ´であり、補正量は式７のようになる。
式７・・・補正量＝ＹＢ´／ＹＢ
ＤＦ設定値（式８）は式３から求まる。
式３・・・ＤＦ設定値＝Ａ´−Ｄ´
＝Ａ´−Ｄ×補正量・・・式８
このように設定値を求めることでＤＦ使用時のレジスト(副走査)の設定をすることが可能となる。つまり、倍率を求めることのできるチャートを使用し、ブックコピー時におけるレジスト調整を実施することにより同時にＤＦ使用時におけるレジスト(副走査)を設定することができる。
【実施例３】
【０００９】
実施例３は、原稿の先端位置を検知し、原稿の後端位置を検知し、検知した原稿の先端位置及び原稿の後端位置についての各情報に基づいて第２走行体におけるダハ角のズレ量を算出し、算出したダハ角のズレ量に基づいて自動原稿送り装置使用時のスキャンライン位置を設定し、且つ白基準調整位置を設定するようにした場合である。
実施例２ではブックコピー時に対する調整により、同時にＤＦ使用時のレジスト(副走査)の設定のみしか実施できないが、式９を実施することにより、同時にＤＦレジスト設定と白基準調整位置を設定することが可能になる。なお、式９は下記の式４から導かれる。
式４・・・白基準設定位置＝Ａ´−Ｅ´
＝Ａ´−Ｅ×補正量・・・式９
【図面の簡単な説明】
【００１０】
【図１】ミラースキャン型の画像読取装置の概要を示す図である。
【図２】ダハ角のズレを説明する平面図である。
【図３】第２走行体におけるズレ量を説明する平面図である。
【図４】式３〜式５に対する説明図である。
【図５】副走査倍率を求めることのできるチャートを示す図である。
【符号の説明】
【００１１】
１  コンタクトガラス
２  スケール基準
３  モータ
４  第１走行体
５  第２走行体
６  ギヤ
７  タイミングベルト
８  平ベルト
９  ホームポジションセンサ
１０  ランプ
１１  第１ミラー
１２  第２ミラー
１３  第３ミラー
１４  レンズ
１５  ＣＣＤ
【図１】
2005202250.tif 000003
【図２】
2005202250.tif 000004
【図３】
2005202250.tif 000005
【図４】
2005202250.tif 000006
【図５】
2005202250.tif 000007